(57)【要約】      （修正有）【課題】２次側配管を規定圧力に保つ調圧機能の動作状況を把握可能として障害などに対処可能とする。【解決手段】スプリンクラーヘッド２６を接続した予作動弁装置２４の２次側配管に、調圧用電動弁４４を介して１次側の加圧消火水を供給して規定圧力に保持している。予作動弁制御盤３４の制御部は、調圧用減圧検出器５０の減圧検出により調圧用電動弁４４を開放制御して２次側配管内の圧力を規定圧力に回復させる。予作動弁制御盤３４の調圧監視部は、リセット操作の受付けを検出したときからの調圧用電動弁４４及び又は調圧用減圧検出器５０の動作回数を計数し、調圧情報の表示操作の受付けを検出した場合に、調圧用電動弁４４及び又は調圧用減圧検出器５０の動作回数を表示部に表示させる。【選択図】図１
2015084825.tif 000002
【特許請求の範囲】
【請求項１】
複数の防火区画毎に、
閉鎖型のスプリンクラーヘッドと、
防護区画の火災を検出する火災感知器と、
定常監視状態で前記スプリンクラーヘッドを接続した前記予作動弁装置の２次側配管に加圧消火用水を充水するか又は加圧空気を充填して規定圧力を維持する２次圧調整部と、遠隔制御により開放されて１次側の給水配管から供給された加圧消火用水を２次側配管に接続した前記スプリンクラーヘッドに供給する予作動弁を備えた予作動弁装置と、
定常監視状態でスプリンクラーヘッドを接続した予作動弁装置の２次側配管に規定圧力の加圧消火用水を充水するか又は加圧空気を充填して規定圧力に保つ２次圧調整部と、
前記スプリンクラーヘッドの開放作動による前記予作動弁装置の２次側配管の減圧を検出する減圧検出器と、
前記減圧検出器で減圧を検出する前の減圧を検出する調圧用減圧検出器と、
前記調圧用減圧検出器による減圧検出を判別した場合に前記２次側調圧部を動作して２次側配管内の圧力を前記規定圧力に回復し、また、前記防護区画に設けた火災感知器による火災検出、又は前記火災感知器による火災検出とスプリンクラーヘッドの作動による減圧検出を判別した場合に前記予作動弁装置を開放して前記スプリンクラーヘッドから加圧消火用水を散水させる制御部と、
を備えた消火設備に於いて、
前記２次圧調整部の動作回数を計数し、調圧情報の表示操作の受付けを検出した場合に、前記動作回数を表示部に表示させる調圧監視部を設けたことを特徴とする消火設備。
【請求項２】
請求項１記載の消火設備に於いて、
前記２次圧調整部は、開放制御により前記予作動弁装置の１次側の加圧消火水を２次側配管に供給する調圧用電動弁であり、
前記制御部は、前記調圧用減圧検出器による減圧検出を判別した場合に前記調圧用電動弁を開放制御して２次側配管内の圧力を前記規定圧力に回復し、前記前記調圧用減圧検出器による減圧検出の復旧を判別した場合に前記調圧用電動弁を閉鎖制御し、
前記調圧監視部は、前記２次圧調整部の動作回数の計数を零回にするリセット操作の受付けを検出したときからの前記調圧用電動弁及び又は前記調圧用減圧検出器の動作回数を計数し、調圧情報の表示操作の受付けを検出した場合に、前記調圧用電動弁及び又は前記調圧用減圧検出器の動作回数を表示部に表示させることを特徴とする消火設備。
【請求項３】
請求項１記載の消火設備に於いて、
前記２次圧調整部は、開放制御により前記予作動弁装置の２次側配管に加圧空気を供給するエアコンプレッサーであり、
前記制御部は、前記調圧用減圧検出器による減圧検出を判別した場合に前記エアコンプレッサーを起動制御して２次側配管内の加圧空気の圧力を前記規定圧力に回復し、前記前記調圧用減圧検出器による減圧検出の復旧を判別した場合に前記コンプレッサーを停止制御し、
前記調圧監視部は、前記２次圧調整部の動作回数の計数を零回にするリセット操作の受付けを検出したときからの前記エアコンプレッサー及び又は前記調圧用減圧検出器の動作回数を計数し、調圧情報の表示操作の受付けを検出した場合に、前記エアコンプレッサー及び又は前記調圧用減圧検出器の動作回数を表示部に表示させることを特徴とする消火設備。
【請求項４】
請求項１乃至３の何れか記載の消火設備に於いて、前記調圧監視部は、前記２次圧調整部の動作回数を前記表示部に縦軸を動作回数又は累積動作回数、横軸を時間とするグラフを作成して前記表示部に表示させることを特徴とする消火設備。
【請求項５】
（複数計数元の個別計数又はまとめ計数）
請求項２又は３記載の消火設備に於いて、前記調圧監視部は、計数元の異なる複数種類の動作回数がある場合、計数元毎に動作回数を計数して表示させるか、又は全ての計数元の動作回数をまとめて計数して表示させることを特徴とする消火設備。
【請求項６】
請求項１記載の消火設備に於いて、前記調圧監視部は、前記２次圧調整部の累積動作回数が所定閾値以上となった場合に警報を出力することを特徴とする消火設備。
【請求項７】
（予測と警報）
請求項１記載の消火設備に於いて、前記調圧監視部は、前記２次圧調整部の累積動作回数から所定期間経過後の累積動作回数を予測し、予測した累積動作回数が所定閾値以上となった場合に予報警報を出力することを特徴とする消火設備。
【請求項８】
請求項１記載の消火設備に於いて、
更に、前記２次側配管の圧力を検出する圧力検出器を設け、
前記調圧監視部は、前記圧力検出器の検出圧力を前記２次側配管の規定圧力から差し引いた減圧量を累積加算し、当該減圧量の累積加算値が所定の閾値以上となった場合に警報を出力することを特徴とする消火設備。
【発明の詳細な説明】
【技術分野】
【０００１】
本発明は、火災感知器による火災検出時に予作動弁を開放して２次側配管に加圧消火用水を供給した後にスプリンクラーヘッドの作動で放水させる消火設備に関する。
【背景技術】
【０００２】
従来、スプリンクラーヘッドの破損などによる誤放水を防止する消火設備として例えば予作動式のスプリンクラー消火設備が知られている。
【０００３】
予作動式スプリンクラー消火設備は、防護区画毎に設置した予作動弁装置、閉鎖型のスプリンクラーヘッド、火災感知器及び予作動弁制御盤で構成される。スプリンクラーヘッドを接続した予作動弁装置の２次側配管には加圧消火用水又は圧縮空気を充填しており、火災感知器により火災を検出した場合（シングルインターロック制御）、または火災検出とスプリンクラーヘッド作動による減圧検出の両方を判別した場合（ダブルインターロック制御）、予作動弁装置を開放してスプリンクラーヘッドから加圧消火用水を放水させる。
【０００４】
一方、スプリンクラーヘッドが破損した場合は、火災感知器による火災発報が判別されていないことから予作動弁装置の開放は行われず、誤放水を確実に防止することができる。
【０００５】
また、スプリンクラーヘッドを接続した予作動弁装置の２次側配管に充水した加圧消火用水又は充填した圧縮空気を規定圧力に保つ調圧機能を設けている。２次側配管に加圧消火用水を充水した場合の調圧機能は、予作動弁装置と並列に調圧用電動弁を設け、スプリンクラーヘッドの作動による減圧を検出する減圧検出用圧力スイッチより前の減圧を検出する調圧用圧力スイッチを設け、調圧用圧力スイッチが２次側配管の減圧を検出して作動した場合に調圧用電動弁を開放制御し、一次側加圧消火用水を２次側配管に供給して規定圧力を保つようにしている。
【０００６】
また、２次側配管に加圧消火用水を加圧空気を充填した場合の調圧機能は、スプリンクラーヘッドの作動による減圧を検出する減圧検出用圧力スイッチより前の減圧を検出する調圧用圧力スイッチを設け、調圧用圧力スイッチが２次側配管の減圧を検出して作動した場合にコンプレッサーを起動制御し、加圧空気を２次側配管に供給して規定圧力を保つようにしている。
【先行技術文献】
【特許文献】
【０００７】
【特許文献１】特開平４−１８９３７２号公報
【特許文献２】特開平４−２７６２７１号公報
【発明の概要】
【発明が解決しようとする課題】
【０００８】
しかしながら、このような従来の２次側配管の圧力を規定圧力に保つ調圧機能を設けた消火設備にあっては、いつどのような状況で調圧機能が動作したかを把握することができず、設備の維持管理に支障を来たす可能性がある。
【０００９】
例えば、調圧機能が頻繁に動作しているような場合は、２次側配管の密閉度合が何らかの要因で低下しており、そのまま放置していると、２次側配管からの加圧消火用水や加圧空気の漏れ出しにつながる可能性があり、調整機能の動作を注意深く監視する必要があるが、そのようなことができない問題がある。
【００１０】
また、調圧機能が動作する頻度は、環境温度に依存する場合があり、このため季節によって調整機能の動作状況が異なることが予想されるが、現在の設備では、その動向を把握することはできず、動作状況が不明であることから、調圧用電動弁やコンプレッサーの維持管理も実際の動作状況からかけ離れ、動作頻度が高い場合には定期点検では十分に対応できない可能性も残る。
【００１１】
本発明は、スプリンクラーヘッドを接続した予作動弁装置の２次側配管における調圧機能の動作状況を把握可能として設備の適切な維持管理を可能とする消火設備を提供することを目的とする。
【課題を解決するための手段】
【００１２】
（消火設備）
本発明は、複数の防火区画毎に、
閉鎖型のスプリンクラーヘッドと、
防護区画の火災を検出する火災感知器と、
遠隔制御により開放されて１次側の給水配管から供給された加圧消火用水を２次側配管に接続したスプリンクラーヘッドに供給する予作動弁装置と、
定常監視状態でスプリンクラーヘッドを接続した予作動弁装置の２次側配管に規定圧力の加圧消火用水を充水するか又は加圧空気を充填して規定圧力に保つ２次圧調整部と、
スプリンクラーヘッドの開放作動による予作動弁装置の２次側配管の減圧を検出する減圧検出器と、
減圧検出器で減圧を検出する前の減圧を検出する調圧用減圧検出器と、
調圧用減圧検出器による減圧検出を判別した場合に２次側調圧部を動作して２次側配管内の圧力を規定圧力に回復し、また、防護区画に設けた火災感知器による火災検出、又は火災感知器による火災検出とスプリンクラーヘッドの作動による減圧検出を判別した場合に予作動弁装置を開放して前記スプリンクラーヘッドから加圧消火用水を散水させる制御部と、
を備えた消火設備に於いて、
２次圧調整部の動作回数を計数し、調圧情報表示操作の受付けを検出した場合に、動作回数を表示部に表示させる調圧監視部を設けたことを特徴とする。
【００１３】
（調圧用電動弁の動作回数）
２次圧調整部は、開放制御により予作動弁装置の１次側の加圧消火水を２次側配管に供給する調圧用電動弁であり、
制御部は、調圧用減圧検出器による減圧検出を判別した場合に調圧用電動弁を開放制御して２次側配管内の圧力を規定圧力に回復し、調圧用減圧検出器による減圧検出の復旧を判別した場合に調圧用電動弁を閉鎖制御し、
調圧監視部は、リセット操作の受付けを検出したときからの調圧用電動弁及び又は調圧用減圧検出器の動作回数を計数し、調圧情報の表示操作の受付けを検出した場合に、調圧用電動弁及び又は調圧用減圧検出器の動作回数を表示部に表示させる。
【００１４】
（コンプレッサーの運転回数）
２次圧調整部は、開放制御により予作動弁装置の２次側配管に加圧空気を供給するコンプレッサーであり、
制御部は、調圧用減圧検出器による減圧検出を判別した場合にコンプレッサーを起動制御して２次側配管内の加圧空気の圧力を規定圧力に回復し、調圧用減圧検出器による減圧検出の復旧を判別した場合にコンプレッサーを停止制御し、
調圧監視部は、２次圧調整部の動作回数の計数を零回にするリセット操作の受付けを検出したときからのコンプレッサー及び又は調圧用減圧検出器の動作回数を計数し、調圧情報表示操作の受付けを検出した場合に、コンプレッサー及び又は調圧用減圧検出器の動作回数を表示部に表示させる。
【００１５】
（動作回数のグラフ表示）
調圧監視部は、２次圧調整部の動作回数を前記表示部に縦軸を動作回数又は累積動作回数、横軸を時間とするグラフを作成して表示部に表示させる。
【００１６】
（複数計数元の個別計数又はまとめ計数）
調圧監視部は、計数元の異なる複数種類の動作回数がある場合、計数元毎に動作回数を計数して表示させるか、又は全ての計数元の動作回数をまとめて計数して表示させる。
【００１７】
（警報）
調圧監視部は、２次圧調整部の累積動作回数が所定閾値以上となった場合に警報を出力する。
【００１８】
（予測と警報）
調圧監視部は、２次圧調整部の累積動作回数から所定期間経過後の累積動作回数を予測し、予測した累積動作回数が所定閾値以上となった場合に予報警報（プリアラーム）を出力する。
【００１９】
（減圧量の累積加算による警報）
また、消火設備は、更に、２次側配管の圧力を検出する圧力検出器を設け、調圧監視部は、圧力検出器の検出圧力を２次側配管の規定圧力から差し引いて減圧量を累積加算し、当該減圧量の累積加算値が所定の閾値以上となった場合に警報を出力する。
【発明の効果】
【００２０】
（基本的な効果）
本発明の消火設備によれば、定常監視状態でスプリンクラーヘッドを接続した予作動弁装置の２次側配管に規定圧力の加圧消火用水を充水するか又は加圧空気を充填して規定圧力に保つ２次圧調整部の動作回数を計数し、調圧情報表示操作の受付けを検出した場合に、動作回数を表示部に表示させる調圧監視部を設けるようにしたため、２次圧調整部が何時どのような状況で動作したかを必要に応じて確認することができ、例えば、動作回数が多い防護区画については、その動向を注意して監視し、もし、動作回数が更に増える傾向があるような場合には、２次側配管の密閉度合が低下していることから、その区画について２次側配管の点検を行い、漏れ箇所を発見した場合には修理対策をとることで、適切な設備の維持管理を可能とする。
【００２１】
また、月単位に分けて２次圧調整部の動作回数を見ることで、例えば季節によって調整機能の動作状況がどの程度ことなるのかを把握することが可能となり、実際に運用している消火設備に設けた２次圧調整部の動作状況を知ることで、消火設備に設ける２次圧調整部の設計や改良に貴重な資料を提供することを可能とする。
【００２２】
（調圧用電動弁の動作回数計数による効果）
また、２次圧調整部は、開放制御により予作動弁装置の１次側の加圧消火水を２次側配管に供給する調圧用電動弁であり、制御部は、調圧用減圧検出器による減圧検出を判別した場合に調圧用電動弁を開放制御して２次側配管内の圧力を規定圧力に回復し、調圧用減圧検出器による減圧検出の復旧を判別した場合に調圧用電動弁を閉鎖制御し、調圧監視部は、リセット操作の受付けを検出したときからの調圧用電動弁及び又は調圧用減圧検出器の動作回数を計数し、調圧情報の表示操作の受付けを検出した場合に、調圧用電動弁及び又は調圧用減圧検出器の動作回数を表示部に表示させるようにしたため、調圧用電動弁及び又は調圧用減圧検出器の動作回数を個別に把握して例えば動作回数が多い場合の点検や修理といった対処を可能とする。
【００２３】
（エアコンプレッサーの運転回数計数による効果）
また、２次圧調整部は、開放制御により前記予作動弁装置の２次側配管に加圧空気を供給するエアコンプレッサーであり、制御部は、調圧用減圧検出器による減圧検出を判別した場合にエアコンプレッサーを起動制御して２次側配管内の加圧空気の圧力を規定圧力に回復し、調圧用減圧検出器による減圧検出の復旧を判別した場合にコンプレッサーを停止制御し、調圧監視部は、リセット操作の受付けを検出したときからのコンプレッサー及び又は調圧用減圧検出器の動作回数を計数し、調圧情報表示操作の受付けを検出した場合に、エアコンプレッサー及び又は調圧用減圧検出器の動作回数を表示部に表示させるようにしたため、エアコンプレッサー及び又は調圧用減圧検出器の動作回数を個別に把握して例えば動作回数が多い場合の点検や修理といった対処を可能とする。また、エアコンプレッサーについては、動作回数を把握することで、フィルタ等の交換を必要とする部品の交換時期を適切に判断可能とする。
【００２４】
（動作回数のグラフ表示による効果）
また、調圧監視部は、２次圧調整部の動作回数を表示部に縦軸を動作回数、横軸を時間とするグラフを作成して表示部に表示させるようにしたため、例えば日単位の動作回数やその累積回数をグラフ表示することで、２次圧調整部の動作回数の状況を一目して把握可能とする。
【００２５】
（複数計数元の個別計数又はまとめ計数による効果）
また、調圧監視部は、計数元の異なる複数種類の動作回数がある場合、計数元毎に動作回数を計数して表示させるか、又は全ての計数元の動作回数をまとめて計数して表示させるようにしたため、例えば、調圧用電動弁、エアコンプレッサー、調圧用減圧検出器に分けた動作回数から個別的な動作状況が分かり、また、圧用電動弁と調圧用減圧検出器又はエアコンプレッサーと調圧用減圧検出器の合計動作回数から防護区画単位に強調した動作回数による状況の把握を可能とする。
【００２６】
（警報による効果）
また、調圧監視部は、２次圧調整部の累積動作回数が所定閾値に達した場合に警報を出力するようにしたため、担当者が調圧情報の表示操作を行わなくとも、動作回数が異常に多い場合は警報が出力され、警報を聞いて動作状況を確認することで、より信頼性の高い維持管理を可能とする。
【００２７】
（予測と警報による効果）
また、調圧監視部は、２次圧調整部の累積動作回数から所定期間経過後の動作回数を予測し、予測した動作回数が所定閾値に達した場合に予報警報（プリアラーム）を出力するようにしたため、累積動作回数が所定の閾値に到達する前に、閾値への到達を予測して予報警報（プリアラーム）することで、早い段階で異常な動作傾向を知って対処可能とする。
【００２８】
（減圧量を累積加算して警報する効果）
また、消火設備は、更に、２次側配管の圧力を検出する圧力検出器を設け、調圧監視部は、圧力検出器の検出圧力と２次側配管の規定圧力から差し引いて求めた減圧量を累積加算し、同外累積加算値が所定の閾値以上となった場合に警報を出力するようにしたため、例えは漏洩量が少なく、調圧用減圧検出器の合計動作回数が所定閾値に達して警報するまでに時間がかかるような状況にあっても、減圧量の累積積算値を求めることで速い段階で異常を知って２次側配管の点検を行い、漏れ箇所を発見した場合には修理対策をとることで、適切な設備の維持管理を可能とする。
【図面の簡単な説明】
【００２９】
【図１】２次側配管に加圧消火用水を充水した予作動式の消火設備の概略を示した説明図
【図２】図１のスプリンクラー制御盤における機能構成の実施形態を示したブロック図
【図３】調圧用電動弁と調圧用減圧検出器の動作回数を表示する調圧情報表示画面を示した説明図
【図４】調圧用電動弁と調圧用減圧検出器の動作回数を表示する調圧情報表示画面を示した説明図
【図５】調圧用電動弁と調圧用減圧検出器の合計動作回数を表示する調圧情報表示画面を示した説明図
【図６】調圧用電動弁の動作回数を警報表示する調圧情報表示画面を示した説明図
【図７】調圧用電動弁の動作回数を予測して警報表示する調圧情報表示画面を示した説明図
【図８】２次側配管に加圧空気を充填した予作動式の消火設備の概略を示した説明図
【図９】図７のスプリンクラー制御盤における機能構成の実施形態を示したブロック図
【図１０】エアコンプレッサーの動作回数を表示する調圧情報表示画面を示した説明図
【図１１】エアコンプレッサーと調圧用減圧検出器の動作回数を表示する調圧情報表示画面を示した説明図
【図１２】圧力センサによる２次側配管の圧力検出と減圧量の加算累積を示したタイムチャート
【発明を実施するための形態】
【００３０】
［湿式予作動スプリンクラー消火設備の概要］
図１は、本発明の消火設備の一例として、予作動弁装置の２次側配管に加圧消火用水を充水した湿式予作動スプリンクラー消火設備の概要を示した説明図である。図１に示すように、建物の地下階などのポンプ室には消火ポンプ１０を設置し、モータ１２により駆動する。モータ１２はポンプ制御盤１４により起動・停止の運転制御を受ける。モータ１２により駆動された消火ポンプ１０は水源水槽１５からの消火用水を吸入し、建物の高さ方向に配置した給水本管１６に加圧した消火用水を供給する。
【００３１】
消火ポンプ１０に対しては起動に使用する圧力タンク１８を設ける。圧力タンク１８は給水本管１６に接続し、配管内の加圧消火用水を導入して内部の空気を圧縮している。圧力タンク１８には圧力スイッチ２０を設け、圧力スイッチ２０は給水本管１６の管内圧力が規定圧力以下に低下した減圧を検出してポンプ制御盤１４に減圧検出信号を出力し、これによってモータ１２を駆動して消火ポンプ１０を起動する。
【００３２】
給水本管１６からは建物の例えば階別の防護区画毎に分岐管２２を引き出している。分岐管２２の分岐部分には予作動弁装置２４を設けている。予作動弁装置２４の２次側の分岐管２２には閉鎖型のスプリンクラーヘッド２６を設けている。またスプリンクラーヘッド２６を設置した防護区画には火災感知器３６を設置し、火災感知器３６からの感知器線を、自火報受信機３５を介して予作動弁制御盤３４に接続している。分岐管２２の末端側には末端試験弁２８を設け、その２次側を、オリフィス３０を介して排水管３２に接続している。
【００３３】
予作動弁装置２４のスプリンクラーヘッド２６を接続した２次側配管には規定圧力となる加圧消火用水を充水している。
【００３４】
予作動弁装置２４は、予作動弁４０、作動用電動弁４２、調圧用電動弁４４、作動用減圧検出器４６、流水検知器４８及び調圧用減圧検出器５０を備える。作動用減圧検出器４６及び流水検知器４８としては、減圧検出でオンする圧力スイッチを使用する。また、調圧用減圧検出器５０で減圧検出する圧力をＰ１とすると、作動用減圧検出器４６で減圧検出する圧力は、それより低い圧力Ｐ２に設定している。このため２次側配管の減圧に対し、作動用減圧検出器４６で減圧検出する前に、調圧用減圧検出器５０が減圧を検出する。
【００３５】
予作動弁４０の開放は作動用電動弁４２により行う。作動用電動弁４２は通常の監視状態では閉鎖状態にある。作動用電動弁４２を予作動弁制御盤３４からの火災検出と減圧検出に基づく開放制御信号により開放動作すると、予作動弁４０が開放状態となり、１次側から２次側に加圧消火用水を供給して作動したスプリンクラーヘッド２６から放水させる。予作動弁４０の２次側に設けているスプリンクラーヘッド２６の作動による減圧は、作動用減圧検出器４６で検出する。また予作動弁４０の開放による２次側への流水は流水検知器４８で検出する。
【００３６】
予作動弁４０が開放すると、その１次側に接続している給水本管１６の圧力も低下し、この減圧を圧力タンク１８に設けている圧力スイッチ２０で検出して、ポンプ制御盤１４が消火ポンプ１０を起動する。
【００３７】
調圧用電動弁４４は、調圧用減圧検出器５０による減圧検出を判別した予作動制御盤３４からの開放制御信号により開放動作し、１次側の加圧消火用水を２次側配管に供給して規定圧力に回復させる。２次側配管の圧力が規定圧力に回復すると調圧用減圧検出器５０が復旧し、調圧用電動弁４４は予作動制御盤３４からの閉鎖制御信号により閉鎖動作して一回の調圧動作を終了する。
【００３８】
［予作動弁制御盤の構成］
（予作動弁制御盤の概要）
図２は予作動弁制御盤の機能構成の実施形態を示したブロック図である。図２に示すように、予作動弁制御盤３４は、制御部５２、操作部５４、表示部５６、警報部５８を備え、図１に示した例えば階別の防護区画毎に、予作動弁装置２４を接続している。
【００３９】
予作動弁装置２４は、図１に示した火災感知器３６、作動用電動弁４２、作動用減圧検出器４６、調圧用電動弁４４及び調圧用減圧検出器５０を取り出して示している。なお、火災感知器３６は予作動弁装置２４の防護区画に設置しているが、説明の都合上、予作動弁装置２４の中に示している。
【００４０】
ここで、調圧用電動弁４４は２次圧調整部として機能し、調圧用減圧検出器５０の減圧検出に基づく予作動制御盤３４の制御により動作して、定常監視状態でスプリンクラーヘッド２６を接続した予作動弁装置２４の２次側配管に規定圧力の加圧消火用水を充水して規定圧力に保つ。
【００４１】
制御部５２は、例えばプログラムの実行により実現される機能であり、ハードウェアとしてはＣＰＵ、メモリ、各種の入出力ポート等を備えたコンピュータ回路等を使用する。
【００４２】
制御部５２に対しては防護区画毎の予作動弁装置２４側に設けた火災感知器３６を感知器線により接続し、また作動用電動弁４２、調圧用電動弁４４、作動用減圧検出器４６及び調圧用減圧検出器５０を信号線により接続している。
【００４３】
また、制御部５２には、プログラムの実行により実現される機能として、調圧監視部６０を設けている。操作部５４は、予作動弁制御盤３４の制御動作に必要な各種の操作スイッチを設けている。表示部５６は、予作動弁制御盤３４の制御動作に必要な各種の表示器を設けている。警報部５８には火災警報、障害警報を音響出力するスピーカなどを設けている。
【００４４】
ここで操作部５４及び表示部５６として、両者の機能を備えたタッチパネル付きの画面表示パネルを設けており、この画面表示パネルに２次側配管の調圧情報を含む必要な情報を表示すると共に情報表示に対応した操作を指示する操作釦を設けている。
【００４５】
（制御部の構成）
予作動弁制御盤３４の制御部５２は、ダブルインターロック制御として、防護区画毎に、火災感知器３６による火災検出と作動用減圧検出器４６による減圧検出の両方を判別した場合に、予作動弁装置２４に設けた作動用電動弁４２に開放制御信号を出力して遠隔的に開放制御し、これに伴い予作動弁４０を開放動作してスプリンクラーヘッド２６から加圧消火用水を散水させる制御を行う。
【００４６】
また、制御部５２は、別パターンとして、火災感知器３６による火災検出ができない障害検出、例えば伝送障害、断線、短絡、連動停止、商用電源断などの障害検出と減圧検出器による減圧検出の両方を判別した場合に、作動用電動弁４２に開放制御信号を出力して開放制御し、これにより予作動弁装置２４を開放動作してスプリンクラーヘッド２６から加圧消火用水を放水させる。
【００４７】
また、制御部５２は、消火設備の運用中に、予作動弁装置２４の２次側に充水した加圧消火用水の圧力が低下して調圧用減圧検出器５０からの減圧検出信号を検出した場合、調圧用電動弁４４に開放制御信号を出力して開放制御し、これにより１次側の加圧消火用水を開放した調圧用電動弁４４に供給して圧力を回復させる制御を行う。
【００４８】
また、制御部５２は、調圧用電動弁４４を開放制御した後に、調圧用減圧検出器５０が復旧して減圧検出信号の停止を検出した場合、調圧用電動弁４４に閉鎖制御信号を出力して閉鎖制御し、回復した２次側配管の圧力を規定圧力に保つ制御を行う。
【００４９】
（調圧監視部の構成）
制御部５２に設けた調圧監視部６０は、定常監視状態でスプリンクラーヘッド２６を接続した予作動弁装置２４の２次側配管に充水した加圧消火用水の減圧を回復させる２次圧調整の動作回数を計数し、担当者による調圧情報表示操作の受付けを検出した場合に、計数した動作回数を画面表示パネルに表示させる制御を行う。
【００５０】
調圧監視部６０による２次圧調整の動作回数を計数には、調圧用電動弁４４の動作回数の計数と、調圧用減圧検出器５０の動作回数の計数があり、調圧監視部６０はそれぞれの動作回数及び又は両方を合わせた動作回数を計数する制御を行う。
【００５１】
調圧用電動弁４４の動作回数は、開放制御と閉鎖制御を１回の動作として計数する。また、調圧用減圧検出器５０の減圧検出と復旧を１回の動作として計数する。
【００５２】
また、調圧監視部６０による２次圧調整の動作回数は、担当者によるリセット操作の受付けを検出した場合に零回にクリアされ、このときから次にリセット操作の受付けを検出するまでの動作回数を計数する制御を行う。
【００５３】
また、調圧監視部６０は、２次圧調整の動作回数を画面表示パネルに表示する場合、縦軸を動作回数、横軸を時間とするグラフを作成して表示させる制御を行う。調圧監視部６０によるグラフ表示は、例えば日単位の動作回数やその累積回数をグラフ表示する。
【００５４】
（調圧情報の画面表示）
図３は調圧用電動弁の動作回数を表示する調圧情報表示画面を示した説明図であり、図３（Ａ）に基本画面を示し、図３（Ｂ）にグラフ画面を示す。
【００５５】
図３（Ａ）に示すように、調圧情報表示画面６４には、図２の調圧監視部６０で計数した例えば調圧用電動弁４４の動作回数を表示し、また、リセット日として「２０１３年０７月１４日」を表示しており、動作回数はリセット日から現在までの動作回数を示す。動作回数のリセットはリセット釦６８を操作する。
【００５６】
このような調圧情報表示画面６４は、防護区画に設けた予作動弁装置２４を任意に選択して表示することができ、また、一括選択を行うと、所定の順番に従って順次表示させることも可能である。
【００５７】
また、調圧情報表示画面６４にはグラフ釦６６を設けており、これを操作すると図３（Ｂ）の調圧情報表示画面７０に遷移する。調圧情報表示画面７０には、グラフ７２に示すように、縦軸を動作回数、横軸を例えば日単位として動作回数を例えば棒グラフで表示する。また、グラフ７４に示すように、日単位の動作回数を累積した累積回数を例えば折線グラフで表示する。
【００５８】
このような調圧情報表示画面６４，７０を担当者は調圧情報表示操作を行うことで表示し、そのときの画面情報から２次圧調整が何時のような状況で動作したかを必要に応じて確認することができ、例えば、動作回数が多い防護区画については、その動向を注意して監視し、もし、動作回数が更に増える傾向があるような場合には、２次側配管の密閉度合が低下していることから、その区画について２次側配管の点検を行い、漏れ箇所を発見した場合には修理対策をとることで、適切な設備の維持管理を可能とする。
【００５９】
また、月単位に分けて２次圧調整の動作回数をみることで、例えば季節によって調整機能の動作状況がどの程度異なるか把握することが可能となり、実際に運用している消火設備に設けた２次圧調整の動作状況を知ることで、消火設備に設ける２次圧調整部の設計や改良に貴重な資料を提供することを可能とする。
【００６０】
（計数元が複数ある場合の調圧情報画面表示）
図４は動作回数の計数元が複数ある場合の調圧情報表示画面を示した説明図である。図１の予作動弁装置２４にあっては、２次圧調整の動作回数の計数元として、調圧用電動弁４４と調圧用減圧検出器５０の２つがあり、図２の調圧監視部６０は、それぞれの動作回数を計数していることから、図４の調圧情報表示画面７６に示すように、調圧用電動弁４４の動作回数と調圧用減圧検出器５０の動作回数をそれぞれ個別に表示する。
【００６１】
この場合にも、リセット釦６８を操作すれば、それぞれの動作回数を零回にリセットし、リセット日の更新を行う。また、グラフ釦６６を操作すると、図３（Ｂ）に示したと同様に、調圧用電動弁４４と調圧用減圧検出器５０のそれぞれの日単位の動作回数及び累積動作回数のグラフの表示画面に遷移する。
【００６２】
ここで、２次圧調整を行った場合の調圧用電動弁４４と調圧用減圧検出器５０の動作回数は基本的に同じ回数になるが、もし、両者の動作回数が大きく相違するような場合は、調圧用電動弁４４の位置検出機能又は調圧用減圧検出器５０の圧力検出機能に障害の可能性があり、点検を行うことを可能とする。
【００６３】
図５は、動作回数の計数元が複数ある場合の調圧情報表示画面を示した説明図であり、調圧情報表示画面７８に示すように、調圧用電動弁４４の動作回数と調圧用減圧検出器５０の動作回数の合計動作回数を表示する。ここで、調圧用電動弁４４と調圧用減圧検出器５０の動作回数は同じになることから、合計動作回数は実際の動作回数の二倍となり、動作回数を強調して表示することを可能とする。
【００６４】
（動作回数の異常警報）
図６は調圧用電動弁の動作回数を警報表示する調圧情報表示画面を示した説明図であり、図６（Ａ）に基本画面を示し、図６（Ｂ）にグラフ画面を示す。
【００６５】
図２に示した調圧監視部６０は、例えば調圧用電動弁４４の累積動作回数が所定の警報値（警報閾値）に達した場合に警報表示及び又は警報音により警報を出力する制御を行い、担当者による調圧情報表示操作の受付けを検出した場合、図６（Ａ）に示す警報を行っている調圧情報表示画面８０を表示する。この調圧情報表示画面８０には、現在の動作回数に加え、警報値が表示され、この警報値を超えたことを表示している。
【００６６】
また、調圧情報表示画面８０のグラフ釦６６を操作すると、図６（Ｂ）の調圧情報表示画面８２に遷移し、日単位の動作回数の累積回数を示すグラフ８６は一点鎖線で示す警報値に達していることを表示している。
【００６７】
このように担当者が調圧情報の表示操作を行わなくとも、動作回数が異常に多い場合は警報が出力され、警報を聞いた担当者が調圧情報表示画面を開いて動作状況を確認することで、２次側配管の点検による対処を可能とする。
【００６８】
（動作回数の予測警報）
図７は調圧用電動弁の動作回数を予測して警報表示する調圧情報表示画面を示した説明図であり、図７（Ａ）に基本画面を示し、図７（Ｂ）にグラフ画面を示す。
【００６９】
図２に示した調圧監視部６０は、例えば調圧用電動弁４４の動作回数の累積動作回数の変化率から所定期間Ｔを経過した後の動作回数Ｎｘを予測し、予測した動作回数Ｎｘが所定の警報値以上となった場合に、予報警報（プリアラーム）を出力する制御を行う。
【００７０】
また、調圧監視部６０は、予測警報の出力後に、担当者による調圧情報表示操作の受付けを検出した場合、図７（Ａ）に示す予測警報を行っている調圧情報表示画面８８を表示する。この調圧情報表示画面８８には、現在の動作回数に加え、動作回数が警報値を超えることを予測した旨を表示している。
【００７１】
また、調圧情報表示画面８８のグラフ釦６６を操作すると、図７（Ｂ）の調圧情報表示画面９０に遷移し、日単位の動作回数の累積回数を示すグラフ９４は、現在実線の位置にあるが、現在までの動作回数の変化率から予測した所定期間Ｔを経過したときの動作回数Ｎｘまでを点線で示し、予測した動作回数Ｎｘが一点鎖線で示す警報値を超えたことを予測表示している。
【００７２】
このように、調圧監視部６０は、２次圧調整の累積動作回数から将来の累積動作回数を予測し、予測した動作回数が所定の警報値以上となった場合に予報警報（プリアラーム）を出力することで、累積動作回数が所定の警報値に到達する前の早い段階で異常な動作傾向を知って対処可能とする。
【００７３】
［乾式予作動スプリンクラー消火設備の２次圧調整と監視］
図８は、本発明の消火設備の一例として、予作動弁装置の２次側配管に加圧空気を充填する乾式予作動スプリンクラー消火設備の概要を示した説明図である。図８に示すように、給水本管１６から引き出した分岐管２２に設けた予作動弁装置２４は、予作動弁４０、作動用電動弁４２、作動用減圧検出器４６、流水検知器４８及び調圧用減圧検出器５０を備え、また、予作動弁４０の２次側にエアコンプレッサー９６からの空気配管を接続し、２次側配管内に規定圧力となる加圧空気を充填している。
【００７４】
ポンプ制御盤１４はコンプレッサー制御盤としての機能を備え、予作動制御盤３４からの制御信号によりポンプ制御盤１４がエアコンプレッサー９６の起動と停止を行う。
【００７５】
ここで、エアコンプレッサー９６は２次圧調整部として機能し、調圧用減圧検出器５０の減圧検出に基づく予作動制御盤３４の制御により動作して、定常監視状態でスプリンクラーヘッド２６を接続した予作動弁装置２４の２次側配管に規定圧力の加圧空気を充填して規定圧力に保つ。
【００７６】
また、コンプレッサー９６からの空気配管は、消火設備に設けている複数の予作動弁装置２４の２次側配管に加圧空気を供給しており、このためエアコンプレッサー９６による２次圧調整の動作回数は、同じ空気配管を接続している全ての予作動弁装置２４の２次側に設けた複数の調圧用減圧検出器５０の減圧検出に基づく合計動作回数となる。
【００７７】
それ以外の構成は図１の湿式の場合と同様であることから、同一符号を付してその説明は省略する。
【００７８】
［予作動弁制御盤の構成］
図９は図８の予作動弁制御盤の機能構成の実施形態を示したブロック図である。図９に示すように、予作動弁制御盤３４は、制御部５２、操作部５４、表示部５６、警報部５８を備え、図８に示した例えば階別の防護区画毎に、予作動弁装置２４を接続している。
【００７９】
予作動弁装置２４は、図８に示した火災感知器３６、作動用電動弁４２、作動用減圧検出器４６及び調圧用減圧検出器５０を取り出して示している。
【００８０】
制御部５２は、例えばプログラムの実行により実現される機能であり、ハードウェアとしてはＣＰＵ、メモリ、各種の入出力ポート等を備えたコンピュータ回路等を使用する。
【００８１】
（２次圧調整部の構成）
制御部５２に設けた２次圧調整部６０は、消火設備の運用中に、予作動弁装置２４の２次側に充填した加圧空気の圧力が低下して調圧用減圧検出器５０からの減圧検出信号を検出した場合、ポンプ制御盤１４に起動制御信号を出力してエアコンプレッサー９６を起動し、エアコンプレッサー９６の運転による加圧空気を２次側配管に供給して規定圧力を回復させる制御を行う。
【００８２】
また、調圧監視部６０は、エアコンプレッサー９６を起動制御した後に、調圧用減圧検出器５０が復旧して減圧検出信号の停止を検出した場合、ポンプ制御盤１４に停止制御信号を出力してエアコンプレッサー９６を停止させる制御を行い、回復した２次側配管の圧力を規定圧力に保つ。
【００８３】
（調圧監視部の構成）
制御部５２に設けた調圧監視部６０は、定常監視状態でスプリンクラーヘッド２６を接続した予作動弁装置２４の２次側配管に充填した加圧空気の減圧に対し規定圧力に回復させる２次圧調整の動作回数を計数し、担当者による調圧情報表示操作の受付けを検出した場合に、計数した動作回数を画面表示パネルに表示させる制御を行う。
【００８４】
調圧監視部６０による調圧制御の動作回数を計数には、コンプレッサー９６の動作回数の計数と、調圧用減圧検出器５０の動作回数の計数があり、調圧監視部６０はそれぞれの動作回数及び又は両方を合わせた動作回数を計数する制御を行う。
【００８５】
コンプレッサー９６の動作回数は、開放制御と閉鎖制御を１回の動作として計数する。また、調圧用減圧検出器５０の減圧検出と復旧を１回の動作として計数する。
【００８６】
また、調圧監視部６０による調圧制御の動作回数は、担当者によるリセット操作の受付けを検出した場合に零回にクリアされ、このときから次にリセット操作の受付けを検出するまでの動作回数を計数する制御を行う。
【００８７】
また、調圧監視部６０は、２次圧調整の動作回数を画面表示パネルに表示する場合、縦軸を動作回数、横軸を時間とするグラフを作成して表示させる制御を行う。調圧監視部６０によるグラフ表示は、例えば日単位の動作回数やその累積回数をグラフ表示する。
【００８８】
（調圧情報の画面表示）
図１０はエアコンプレッサーの動作回数を表示する調圧情報表示画面を示した説明図であり、図１０（Ａ）に基本画面を示し、図１０（Ｂ）にグラフ画面を示す。
【００８９】
図１０（Ａ）に示すように、調圧情報表示画面１００には、図９の調圧監視部６０で計数した例えばエアコンプレッサー９６の動作回数を表示する。エアコンプレッサー９６の動作回数は、同じ空気配管に接続している複数の予作動弁装置２４の２次圧調整の合計動作回数を示している。
【００９０】
また、リセット日として「２０１３年０７月１４日」を表示しており、動作回数はリセット日から現在までの動作回数を示す。動作回数のリセットはリセット釦６８を操作する。
【００９１】
また、調圧情報表示画面１００にはグラフ釦６６を設けており、これを操作すると図１０（Ｂ）の調圧情報表示画面１０２に遷移する。調圧情報表示画面１０２には、グラフ１０４に示すように、縦軸を動作回数、横軸を例えば日単位としてエアコンプレッサー４４の動作回数が棒グラフで表示する。また、グラフ１０６に示すように、日単位の動作回数を累積した累積動作回数を折線グラフで表示する。
【００９２】
図１１は動作回数の計数元が複数ある場合の調圧情報表示画面を示した説明図である。図８の予作動弁装置２４にあっては、２次圧調整の動作回数の計数元として、複数の予作動弁装置２４に共通に設けたエアコンプレッサー９６と、予作動弁装置２４に個別に設けた調圧用減圧検出器５０の２つがあり、図８の２次圧調整部６０は、それぞれの動作回数を計数していることから、図１１の調圧情報表示画面１０８に示すように、エアコンプレッサー９６の動作回数と調圧用減圧検出器５０の動作回数をそれぞれ個別に表示する。
【００９３】
このような調圧情報表示画面１０８は、防護区画に設けた予作動弁装置２４を任意に選択して表示することで、予作動弁装置２４毎に、調圧用減圧検出器５０の動作回数を知ることができ、併せて、エアコンプレッサー９６の動作回数から設備全体の２次圧調整の動作回数を知ることができる。また、調圧情報表示画面１０８に、エアコンプレッサー９６の動作回数と共に、同じ空気配管を接続している複数の予作動弁装置２４に設けた調圧用減圧検出器５０の動作回数を一覧表示しても良い。
【００９４】
このような調圧情報表示画面１００，１０２又は１０８を担当者は調圧情報表示操作を行うことで表示し、そのときの画面情報から２次圧調整用のコンプレッサー９６が何時のような状況で動作したかを必要に応じて確認することができ、例えば、動作回数が多い場合には、防護区画を選択して調圧用減圧検出器５０の動作回数を調べることで、動作回数の多い防護区画を特定し、その動向を注意して監視し、もし、動作回数が更に増える傾向があるような場合には、２次側配管の密閉度合が低下していることから、その区画について２次側配管の点検を行い、漏れ箇所を発見した場合には修理対策をとることで、適切な設備の維持管理を可能とする。
【００９５】
また、エアコンプレッサー９６の場合についても、所定の警報値を超えた場合に警報を出力したり、現在まで動作回数の変化率から所定期間後の動作回数を予測し、警報閾値を超えた場合に予報警報（プリアラーム）を出力するようにしても良い。
【００９６】
また、月単位に分けて例えばエアコンプレッサー９６の動作回数をみることで、例えば季節によって調整機能の動作状況がどの程度異なるかを把握することが可能となり、実際に運用している消火設備に設けた２次圧調整の動作状況を知ることで、消火設備に設ける２次圧調整部の設計や改良に貴重な資料を提供することを可能とする。
【００９７】
また、調圧監視部６０は、エアコンプレッサー９６の動作回数についても、所定の警報値を超えた場合に警報を出力したり、現在まで動作回数の変化率から所定期間後の動作回数を予測し、警報閾値を超えた場合に予報警報（プリアラーム）を出力する制御を行うようにしても良い。
【００９８】
これ以外の消火設備及び予作動弁制御盤の構成及び機能は、図１及び図２に示した湿式の場合と同様であることから、同一符号を付してその説明を省略する。
【００９９】
［減圧量の累積加算による監視］
本発明による消火設備の他の実施形態として、例えば図１及び図２に示した湿式予作動スプリンクラー消火設備において、更に、予作動弁装置２４に、２次側配管の圧力を検出する圧力検出器として機能する圧力センサを設け、予作動弁制御盤３４の制御部５２に設けた調圧監視部６０は、圧力センサによる２次側配管の検出圧力Ｐを所定周期Ｔ毎に読み込んで、予め設定している２次側配管の規定圧力Ｐｓから差し引いて減圧量ΔＰを
ΔＰ＝Ｐｓ−Ｐ
として求め、更に、求めた減圧量ΔＰを累積加算して累積加算値ΣＰを求め、累積加算値ΣＰが所定の閾値ＴＨ以上となった場合に警報を出力するように制御する。
【０１００】
図１２は圧力センサによる２次側配管の圧力検出と減圧量の加算累積の例を示したタイムチャートであり、図１２（Ａ）は２次側配管の検出圧力を示し、図１２（Ｂ）は累積加算値を示す。
【０１０１】
図１２に示すように、予作動弁装置２４の２次側配管に漏水がある場合、２次側配管の規定圧力Ｐｓに対し圧力センサで検出した２次側配管内の検出圧力Ｐは時間の経過に伴って減圧し、調圧用減圧検出器５０の設定圧力Ｐｔｈに低下すると、調圧用減圧検出器５０が減圧検出信号を出力し、制御部５２は調圧用電動弁４４を開放制御し、減圧した２次側配管内の検出圧力Ｐを規定圧力Ｐｓに回復させる調圧制御を繰り返している。
【０１０２】
このような漏洩による減圧と調圧制御による圧力回復を繰り返している図１２（Ａ）に示す圧力センサで検出した２次側配管内の検出圧力Ｐは、所定周期Ｔ毎に調圧監視部６０に読み込まれ、２次側配管の規定圧力Ｐｓから差し引いて減圧量ΔＰ（＝Ｐｓ−Ｐ）を求め、続いて図１２（Ｂ）に示す累積加算値ΣΔＰを求め、時刻ｔｎで所定の閾値ＴＨ以上になると、警報部５８に指示して警報を出力させる制御を行う。
【０１０３】
この場合、調圧用減圧検出器５０の減圧検出に基づく調圧動作回数は警報を出力する閾値回数より少ない２回であり、合計動作回数が所定閾値に達して警報するまでに時間がかかるような状況にあっても、減圧量ΔＰの累積積算値ΣΔＰを求めることで、速い段階で２次側配管の漏洩による異常を知って２次側配管の点検を行い、漏れ箇所を発見した場合には修理対策をとることで、適切な設備の維持管理を可能とする。
【０１０４】
この２次側配管の減圧量を累積加算して行う監視は、図８に示した乾式予作動スプリンクラー設備も同様となる。
【０１０５】
［本発明の変形例］
（２次圧調整情報の表示）
上記の実施形態は、２次圧調整の動作回数を、画面表示パネルを用いて表示しているが、これ以外の適宜の表示装置としても良く、また画面表示パネルを用いた表示も必要に応じて適宜の表示形態をとることを可能とする。
【０１０６】
（２次圧調整情報の記録）
上記の実施形態では、リセット操作により２次圧調整の動作回数をリセットして零回としているが、リセット操作に伴い、それまでの２次圧調整の動作回数、例えば日単位の動作回数を、メモリ等に記憶して保存し、必要に応じて読み出すことで利用可能としても良い。
【０１０７】
（シングルインターロック）
上記の実施形態は、火災感知器による火災検出と減圧検出器による減圧検出の両方を判別した場合に予作動弁装置を開放制御してスプリンクラーヘッドから加圧消火用水を散水させるダブルインターロック制御の予作動式スプリンクラー消火設備を例にとっているが、火災感知器による火災検出を判別した場合に予作動弁装置を開放制御してスプリンクラーヘッドから加圧消火用水を散水させるシングルインターロック制御の予作動式スプリンクラー消火設備についても、同様に適用できる。
【０１０８】
このシングルインターロック制御も、火災感知器による火災検出で予作動弁装置を開放制御するパターン以外に、火災感知器による火災検出ができない障害検出、例えば伝送障害、断線、短絡、連動停止、商用電源断などの障害検出を判別した場合に、予作動弁装置を開放制御してスプリンクラーヘッドから加圧消火用水を放水させる。
【０１０９】
（その他）
また、本発明はその目的と利点を損なうことのない適宜の変形を含み、更に上記の実施形態に示した数値による限定は受けない。
【符号の説明】
【０１１０】
１０：消火ポンプ
１４：ポンプ制御盤
２４：予作動弁装置
３４：予作動弁制御盤
３６：火災感知器
４０：予作動弁
４２：作動用電動弁
４４：調圧用電動弁
４６：作動用減圧検出器
４８：流水検知器
５０：調圧用減圧検出器
５２：制御部
５４：操作部
６０：調圧監視部
９６：エアコンプレッサー
【図１】
2015084825.tif 000003
【図２】
2015084825.tif 000004
【図３】
2015084825.tif 000005
【図４】
2015084825.tif 000006
【図５】
2015084825.tif 000007
【図６】
2015084825.tif 000008
【図７】
2015084825.tif 000009
【図８】
2015084825.tif 000010
【図９】
2015084825.tif 000011
【図１０】
2015084825.tif 000012
【図１１】
2015084825.tif 000013
【図１２】
2015084825.tif 000014